(57)【要約】【課題】灯火信号機の位置を道路関連情報として求めることができる、少なくとも１つの道路関連情報を求めるための方法を提供すること。【解決手段】通信ネットワークの移動加入者が道路を横断したときの出発点となる道路上の１つの地点位置を、前記移動加入者の位置データに基づいて求めるステップと、前記移動加入者が前記道路を横断する前に、前記移動加入者が前記１つの地点位置において待機しなければならなかった待機時間を求めるステップと、前記求められた待機時間と、前記求められた地点位置とに基づいて、灯火信号機の位置を、道路関連情報として求めるステップとを含むようにする。【選択図】図３
2015219921.tif 000002
【特許請求の範囲】
【請求項１】
少なくとも１つの道路関連情報を求めるための方法であって、
通信ネットワークの移動加入者が道路を横断したときの出発点となる道路上の１つの地点位置を、前記移動加入者の位置データに基づいて求めるステップ（１０１）と、
前記移動加入者が前記道路を横断する前に、前記移動加入者が前記１つの地点位置において待機しなければならなかった待機時間を求めるステップ（１０３）と、
前記求められた待機時間と、前記求められた地点位置とに基づいて、灯火信号機の位置を、道路関連情報として求めるステップ（１０５）とを含んでいることを特徴とする方法。
【請求項２】
前記横断前、及び／又は、前記横断中、及び／又は、前記横断後に、前記移動加入者の速度を求め、前記求められた移動加入者速度に基づいて、灯火信号機のタイプを、道路関連情報として求める、請求項１記載の方法。
【請求項３】
前記移動加入者の横断方向を求め、前記求められた横断方向に基づいて、灯火信号機の配向状態を、道路関連情報として求める、請求項１または２記載の方法。
【請求項４】
前記求められた待機時間に基づいて、灯火信号機の赤信号フェーズの持続時間を、道路関連情報として求める、請求項１から３いずれか１項記載の方法。
【請求項５】
前記移動加入者が道路を横断するのに必要となる横断時間を求める、請求項１から４いずれか１項記載の方法。
【請求項６】
前記求められた待機時間に対応する日付データを求める、請求項１から５いずれか１項記載の方法。
【請求項７】
複数の移動加入者のもとで、さらなる移動加入者が横断を前にして再び待機せざるを得なくなる前にまだ道路を渡りきることができた、最初の移動加入者と最後の移動加入者との間の経過時間を求め、前記求められた経過時間に基づいて、前記灯火信号機の青信号フェーズの持続時間を、道路関連情報として求める、請求項１から６いずれか１項記載の方法。
【請求項８】
少なくとも１つの道路関連情報を求めるためのシステム（２０１）であって、
通信ネットワークの移動加入者の位置データに基づいて、前記移動加入者が道路を横断したときの出発点となる道路上の１つの地点位置を求めるように構成されている処理装置（２０５）を含み、
前記処理装置（２０５）は、前記移動加入者が前記道路を横断する前に、前記移動加入者が前記１つの地点位置において待機しなければならなかった待機時間を求めるように構成され、
前記処理装置（２０５）は、前記求められた待機時間と、前記求められた地点位置とに基づいて、灯火信号機の位置を、道路関連情報として求めるように構成されていることを特徴とするシステム（２０１）。
【請求項９】
前記移動加入者の位置データを、前記通信ネットワークを介して受信するための通信インターフェース（２０３）をさらに含んでいる、請求項８記載のシステム（２０１）。
【請求項１０】
コンピュータ上で実行されるコンピュータプログラムであって、請求項１から７いずれか１項記載の方法を実施するためのプログラムコードが含まれていることを特徴とするコンピュータプログラム。
【発明の詳細な説明】
【技術分野】
【０００１】
本発明は、少なくとも１つの道路関連情報を求めるための方法およびシステムに関している。本発明はさらにコンピュータプログラムに関している。
【背景技術】
【０００２】
道路交通網において、一般に灯火信号機の位置を識別することは、法を遵守したナビゲーションのためにも重要である。複数のデジタルマップを含んだ多くのナビゲーションシステムが公知ではあるが、しかしながらそれらのデジタルマップは往々にして不完全であるかまたはエラーを含んでいる可能性が高い。
【０００３】
そのため、灯火信号機の位置や特に灯火信号機のフェーズ（信号フェーズ）を求める需要が生まれてきている。
【発明の概要】
【発明が解決しようとする課題】
【０００４】
本発明の課題は、灯火信号機の位置を道路関連情報として求めることができる、少なくとも１つの道路関連情報を求めるための方法を提供することである。
【０００５】
また本発明の課題は、対応するシステムを提供することである。
【０００６】
さらに本発明の課題は、対応するコンピュータプログラムを提供することである。
【課題を解決するための手段】
【０００７】
前記課題は、独立請求項に記載されたそれぞれの本発明によって解決される。本発明の別の有利な構成例は、従属請求項にも記載されている。
【０００８】
本発明の１つの態様によれば、少なくとも１つの道路関連情報を求めるための方法が提供され、この方法は、以下のステップ、すなわち、
通信ネットワークの移動加入者が道路を横断したときの出発点となる道路上の１つの地点位置を、前記移動加入者の位置データに基づいて求めるステップと、
前記移動加入者が前記道路を横断する前に、前記移動加入者が前記１つの地点位置において待機しなければならなかった待機時間を求めるステップと、
前記求められた待機時間と、前記求められた地点位置とに基づいて、灯火信号機の位置を、道路関連情報として求めるステップとを含んでいる。
【０００９】
本発明のさらに別の態様によれば、少なくとも１つの道路関連情報を求めるためのシステムが提供され、このシステムは、
通信ネットワークの移動加入者の位置データに基づいて、前記移動加入者が道路を横断したときの出発点となる道路上の１つの地点位置を求めるように構成されている処理装置を含み、
前記処理装置は、前記移動加入者が前記道路を横断する前に、前記移動加入者が前記１つの地点位置において待機しなければならなかった待機時間を求めるように構成され、
前記処理装置は、前記求められた待機時間と、前記求められた地点位置とに基づいて、灯火信号機の位置を、道路関連情報として求めるように構成されている。
【００１０】
本発明のさらに別の態様によれば、コンピュータプログラムが提供され、このプログラムは、コンピュータ上で実行されるコンピュータプログラムであって、本発明による方法を実施するためのプログラムコードが含まれている。
【００１１】
本発明では、特に、道路の横断が可能になる前に、通常は灯火信号機の前で待機しなければならないという知識に基づいている。それにより、有利には簡単な方法で、ある地点若しくはその周辺での灯火信号機の存在を推論することが可能になる。この知識は、例えば、デジタルマップを更新するのに、あるいはデジタルマップ内の既存の灯火信号機の位置を検証若しくは確認するのに有利に利用することが可能である。そのような有利な形態のデジタルマップに基づいて最終的には、ナビゲーションの信頼性が高められる。特に有利には、灯火信号機の存在に関する当該情報は、様々な交通参加者が入手可能になるので、相応に自身のナビゲーションも最適に適応化可能となる。それにより、例えば道路上の交通の流れも最適化可能である。これにより有利には、個々の交通参加者のそれぞれの旅行時間も短縮できるようになる。とりわけ既存の灯火信号機に合わせて適応化された走行様式は、燃費が最小となるように車両誘導を適応化させる。
【００１２】
有利な実施形態によれば、複数の道路関連情報が求められる。これらの情報は特に同じように形成されるか、または、有利には種々異なって形成される。
【００１３】
別の有利な実施形態によれば、前記通信ネットワークは、移動無線ネットワークであってもよい。
【００１４】
別の有利な実施形態によれば、前記通信ネットワークは、インターネットであってもよい。
【００１５】
別の実施形態によれば、複数の移動加入者が存在していてもよい。一人の加入者に係る実施例は、複数の加入者に対しても同じ様に有効であり、その逆も当て嵌まる。すなわちこの実施形態では、複数の加入者のそれぞれの位置データが入手可能になる。すなわち、特に、各加入者毎のそれらの位置データに基づいて所定の地点が求められる。特に各加入者毎にそれぞれの待機時間が求められる。灯火信号機の位置は、特にそのつど求められた待機時間と、そのつど求められた位置データとに基づいて求められる。つまり、複数の加入者のもとでは、それらの位置データの統計的な評価が実施される。そのため、灯火信号機の位置が特に高い信頼性のもとで求められる。灯火信号機の存在を所定の確率で推論するために必要な加入者の数は、具体的な個々のケースに依存する。特にそれらの正確な数は、加入者が道路を横断するのに費やした期間に依存している。例えば、少なくとも１０人の加入者が、所定の地点から道路を横断しなければならない。それによって灯火信号機に対する推論が統計的に行われるようになる。特に、１つの灯火信号機の存在を相応に推論するためには、少なくとも１２時間の期間が監視されなければならない。
【００１６】
有利な実施形態によれば、前記移動加入者は、移動端末、特に移動無線機であってもよい。
【００１７】
加入者が道路を横断することを文言化することによって、特定の加入者が、道路を横断するユーザーまたは車両によって運ばれるケースも含まれる。ここでのユーザーないし車両とは、交通参加者である。
【００１８】
有利な実施形態によれば、加入者速度が横断前、及び／又は、横断中、及び／又は、横断後に求められ、求められた加入者速度に基づいて灯火信号機のタイプが道路関連情報として求められる。この加入者速度は、特に道路を横断するユーザー又は車両の速度に相応している。
【００１９】
様々な交通参加者は、様々な速度を有している。これらの交通参加者は、例えば車両、歩行者、または自転車であってもよい。前記車両とは、例えば自家用自動車、商用自動車、二輪車であってもよい。これらの交通参加者は、移動加入者を同伴し得るので、前記加入者速度に応じて、当該移動加入者が歩行者なのか、車両ドライバー又は二輪車によって運ばれているのかがわかる。すなわち、加入者速度に依存して、移動加入者を同伴したどの交通加入者に所属するのかが分類できる。例えば加入者速度が３ｋｍ／ｈ乃至５ｋｍ／ｈの間であるならば、歩行者であることが推論できる。また加入者速度が５ｋｍ／ｈ乃至６０ｋｍ／ｈの間であるならば、車両ドライバー、例えば自家用自動車のドライバーであることが推論できる。さらに加入者速度が５ｋｍ／ｈ乃至２５ｋｍ／ｈの間であるならば、自転車運転者であることが推論できる。
【００２０】
別の有利な実施形態によれば、前記加入者の横断方向を求め、前記求められた横断方向に基づいて、灯火信号機の配向状態を道路関連情報として求める。
【００２１】
それにより、特に灯火信号機が、どの走行方向に対して、またはどの走行レーンに対して交通を制御しているのかがわかる、技術的効果が奏される。別の実施形態によれば、求められる待機時間に基づいて、灯火信号機の赤信号フェーズの持続時間が道路関連情報として求められる。
【００２２】
それにより、例えば、赤信号フェーズの持続時間を検出する簡単な手段が得られる効果が奏される。
【００２３】
さらに別の実施形態によれば、加入者が道路を横断するのに要する横断時間が求められる。
【００２４】
それにより、例えば灯火信号機のフェーズを評価して調整することが可能になる技術的効果が奏される。とりわけ青信号フェーズの持続時間は、青信号フェーズ中に道路を横断できる所定の加入者数に関して最適化され得る。
【００２５】
別の実施形態によれば、求められた待機時間に対する日付データが求められてもよい。
【００２６】
それにより、例えば、日中による評価が可能となる技術的効果が奏される。とりわけ、灯火信号機が動作を停止している日中時間が識別できる。動作していない灯火信号機は、特に、待機時間がゼロであるか、または、例えば動作中の灯火信号機の最小待機時間よりも短いことによって識別される。日付データには、例えば日中時間、すなわち一般的な時刻及び／又は周日が含まれる。
【００２７】
さらに別の有利な実施形態によれば、複数の移動加入者のもとで、別のさらなる移動加入者自身が横断を前にして再び待機せざるを得なくなる前にまだ道路を渡りきることができた最初の移動加入者と最後の移動加入者との間の経過時間を求め、前記求められた経過時間に基づいて、前記灯火信号機の青信号フェーズの持続時間を、道路関連情報として求める。
【００２８】
これにより、特に青信号フェーズの持続時間が求められる技術的効果が奏される。
【００２９】
前述してきた実施例によれば、すなわち例示的な実施形態において有利には、灯火信号機の複数のフェーズ（信号フェーズ）が求められるか又は確定され、とりわけ赤信号フェーズ及び／又は青信号フェーズ、つまりこれらのフェーズの各持続時間が求められる。
【００３０】
さらに別の実施形態によれば、通信インターフェースが通信ネットワークを介した加入者位置データの受信のために設けられる。これにより特に加入者自身が位置データを直接システムに送信できる技術的効果が奏される。
【００３１】
以下では本発明を有利な実施例に基づいて詳細に説明する。
【図面の簡単な説明】
【００３２】
【図１】少なくとも１つの道路関連情報を求めるための方法のフローチャート
【図２】少なくとも１つの道路関連情報を求めるためのシステムを示した概略図
【図３】交差点を示した図
【発明を実施するための形態】
【００３３】
図１には、少なくとも１つの道路関連情報を求めるための方法のフローチャートが示されている。
【００３４】
ここではステップ１０１に従って、通信ネットワークの移動加入者が道路を横断したときの出発点となる、道路上の１つの地点の位置が求められる。この検出は、前記加入者の位置データに基づいて実施される。ステップ１０３では、前記加入者が道路を横断する前に、前記１つの地点にて当該加入者が待機しなければならなかった待機時間が求められる。ステップ１０５では、道路関連情報として灯火信号機の位置が、前記求められた待機時間と前記求められた位置とに基づいて求められる。
【００３５】
図２には、少なくとも１つの道路関連情報を求めるためのシステム２０１が示されている。
【００３６】
このシステム２０１は、移動加入者の位置データを、通信ネットワークを介して受信するための通信インターフェース２０３を含んでいる。さらにこのシステム２０１は、処理装置２０５を含んでおり、この処理装置２０５は、本発明による方法を実施できるように構成されている。なお図示されていない実施形態において、前記システム２０１に、通信インターフェース２０３を含ませない構成も可能である。
【００３７】
図３には、４つの道路３０３，３０５，３０７，３０９が交差している交差点３０１が示されている。ここでは右側通行が行われている。符号３１０は、道路３０７の当該交差点３０１前の停止線を示している。符号３１１は、道路３０５を横断する前の第１の地点を示している。この第１の地点３１１は、地点“Ａ”とも称し、以下では単に符号“Ａ”で示される。符号３１３は、前記道路３０５の、前記第１の場所３１１とは反対側の通り沿いに存在している第２の地点を示す。つまりこの第２の場所３１３は、道路３０５を横断した後に到達する地点である。この第２の場所３１３は、地点Ｂとも称し、以下では単に符号“Ｂ”で示される。停止線３１０においては灯火信号機が設けられており、この灯火信号機は交通整理を実施している。ただしこの灯火信号機は、ここでは図を見易くする理由から示していない。その他のさらなる道路３０３，３０５，３０９においても有利には灯火信号機が交通整理のために設けられていてもよい。
【００３８】
概略的に示されている車両３１５は、道路３０５ないし交差点領域を横断しようとしている。この車両３１５は以下では単に“Ｘ”とも称する。符号３１７は自転車の運転者を概略的に表しており、これは以下では単に“Ｙ”とも称する。符号３１９は歩行者を概略的に表しており、これは以下では単に“Ｚ”とも称する。これらの個々の交通参加者それぞれの通行に係る移動方向は、符号３２１の付された矢印で表されている。すなわち、これらの個々の交通参加者は、道路３０５を、地点Ａから地点Ｂへ横断しようとしている（ただし車両３１５は、歩道の走行は禁止されているので厳密には道路３０７上を走行している）。そしてこれらの交通参加者の各々、あるいは、前記車両３１５の少なくとも一人の乗員が、少なくとも一人の移動加入者であり、例えば移動無線機のような移動端末を所持している。別の実施例においては、他の道路の交通参加者が当該交差点３０１を横断しようと目論んでいてもよい。つまり図３に示されている実施例はあくまでも一例であり、これに限定されることを意図したものではない。
【００３９】
移動加入者の各々は、それぞれの現在位置を、交差点３０１の走行中、道路３０５の横断中、および道路３０５の横断後に、本発明によるシステム、例えば図２中のシステム２０１に、送信する。その後処理装置２０５は、とりわけ以下に述べるようなステップを実行可能である。
【００４０】
同じ場所での少なくともｎ人の通信ネットワーク加入者／ユーザーを介した、前記交差点３０１（あるいは別の任意の交差点、合流路、横断歩道、歩道橋）における前述したような交通参加者の待機時間に基づいて、信号機の存在が推論できるため、その結果として本発明による電子マップ（例えばデジタル地図）は、当該信号機情報を補足する。但し前記ｎは、交差点／信号機毎の所定の時間に亘る統計的な情報となり得るように構成する必要がある（例えば次のような評価：同じ場所の１０人のユーザー／１２ｈ）。
【００４１】
本発明によるデジタルマップ、例えばデジタル市街地図に、既に複数の信号機情報が含まれている場合には、このことがさらに本発明による方法を介して確認でき、あるいは本発明による方法によって、情報力の改善が図られる（これにより信号機に対する学習フェーズは省かれる）。
【００４２】
さらに有利には、歩行者として信号機に従って横断するのか、あるいは（乗り物で）移動している交通参加者（車両、自転車）として信号機に従って横断するのかが区別される。このことはまず可能である。なぜなら当該方法は加入者側で例えば移動端末において持続的に実施され、交差点だけで処理されるものではないからである。そのため交差点の横断前後でどの位の速度を伴って前進移動しているかに応じてそれらのタイプを推論できることがわかっている（例えば時速３ｋｍ乃至５ｋｍは歩行者として、時速５ｋｍ乃至６０ｋｍは自動車のドライバーとして、時速５ｋｍ乃至２５ｋｍは自転車の運転者としての推論が可能）。従って識別される灯火信号機は、歩行者用信号機または車両用信号機である。
【００４３】
さらにこの方法の実施形態によれば、交差点や合流路の交差方向と信号機の配向方向を確定するために、ＧＰＳ情報や追跡情報（加入者の位置データ）が利用される。
【００４４】
この方法の実施形態によれば、既知の信号機毎にデータレコードが形成される。ここでは交差点毎に複数の信号機データレコード、例えば地点Ａから地点Ｂへ移動する、歩行者に対するデータレコード（Ｚ，Ａ→Ｂ）、エンジン（モーター）駆動式車両に乗った交通参加者に対するデータレコード（Ｘ，Ａ→Ｂ）、並行する自転車道を走る自転車運転者に対するデータレコード（Ｙ，Ａ→Ｂ）が存在している。つまり、交差点毎に、複数の信号機データレコードが形成されるか又は求められ、前記各レコードにはそれぞれ、横断が開始される地点と、横断が終了する地点と、交通参加者のタイプ（歩行者、車両ドライバー、自転車運転者など）とが含まれている。
【００４５】
これらの信号機データレコードは、本発明の実施形態によれば、車両、自転車または歩行者が赤信号の前で平均して待たなければならない待機時間について、あるいは交差点が横断できるようになるまでの待機時間について、統計的に補足される。それにより、統計的に必要最小限の、赤信号フェーズの待機時間が求められる（同じ地点／位置における個々のユーザーの待機時間、例えば地点Ａにおける歩行者Ｚの待機時間から）。
【００４６】
この方法のさらなる実施形態によれば、信号機データレコードが、青信号フェーズの持続時間によって、つまり、例えばソーシャルネットワークの加入者である最初の歩行者（任意の他の交通参加者でもよい）と、（同じくソーシャルネットワークの加入者であり得る）当該青信号フェーズ中にまだ交差点を横断することができた最後の歩行者との間の持続時間によって補足される。このことは、有利には、既存の信号フェーズ中に確定する。
【００４７】
この方法のさらなる別の実施形態によれば、信号機データレコードが、各交通参加者の横断持続時間についても補足される。これらの情報は、信号機フェーズの後からの評価又は後からの調整に対しても有利となる。
【００４８】
この方法の改善された実施形態によれば、日中時間に応じた変更に関する分析も含まれる。つまり、有利には、日中時間に依存した変更が分析され、同様にデータレコードに記憶される。この分析によれば、例えば夜２２：００から朝６：００までの間の信号機における停止信号フェーズは長くとられ（例えば５分間）、それに対して朝６：００〜夜２２：００までの間の信号機の停止信号フェーズは例えば２分間にされる。
【００４９】
この方法の別の実施形態によれば、例えば、灯火信号機の動作停止が日中時間に識別されるように拡張されてもよい。例えば、０：００から早朝５：００までの間に、加入者またはクラウドユーザーが信号機のところで待機している時間若しくは停車している時間が一切存在しないならば、信号機装置の動作停止が識別される。
【００５０】
要約すれば、本発明は、とりわけ次のような考察を含んでいる。すなわち、交差点、合流路、及び／又は、横断歩道ないし歩道橋における複数の既存情報と、そこに配置されている灯火信号機の前でユーザーが待機した待機時間と、ユーザーの現在位置データ、特にＧＰＳ位置データとを、通信ネットワークを介して相関付ける考察である。これらの加入者は、それぞれの位置データを例えばソーシャルネットワークを介して通知し、これによって例えば様々な情報をソーシャルネットワークで求めることが可能になる。
【符号の説明】
【００５１】
３０１      交差点
３０３      道路
３０５      道路
３０７      道路
３０９      道路
３１０      停止線
３１１      第１の地点（地点Ａ）
３１３      第２の地点（地点Ｂ）
３１５      車両（Ｘ）
３１７      自転車（Ｙ）
３１９      歩行者（Ｚ）
３２１      移動方向
【図１】
2015219921.tif 000003
【図２】
2015219921.tif 000004
【図３】
2015219921.tif 000005